(57)【要約】【課題】敷物、寝具、寝床、フローリングなど人と接触する時間が長く、その面積が大きい場所の周辺空気中の浮遊菌を不活化することにより、環境を改善する。【解決手段】マットレス１の除菌モードでは、制御ボックス４内の制御部７はイオン発生装置２１の高圧パルス駆動回路２６及び送風ファン１０のファンモーター１４に通電し、正負イオンを含む空気がチューブ３に送り込まれる。チューブ３の下流端は閉じられ、行き止まりになっているため、チューブ３内に満たされた空気は支流となる複数のチューブ３Ａを上昇し、マットレス１の上面の抜け穴から漏れ出るように正負イオンがじわじわと放出される。これにより、正負イオンの濃度の高い空気層がマットレス１上に形成され、空気中のカビや菌が不活化される。したがって、マットレス１は絶えず無菌に近い空気に包まれることとなるため、カビや菌の付着を防止し、マットレス１を清潔に保つことができる。【選択図】      図２
2004174138.tif 000002
【特許請求の範囲】
【請求項１】
イオンを発生するイオン発生装置と、イオンを含んだ空気を放出する送風手段とを備え、この送風手段からイオンを含んだ空気をある面に沿って流すことを特徴とする環境調整装置。
【請求項２】
人に触れ、その面積の大きい平面具と、イオンを発生するイオン発生装置と、イオンを含んだ空気を放出する送風手段とを備え、前記平面具若しくはその周辺から、平面具に向かって前記送風手段からイオンを含んだ空気を流すことを特徴とする環境調整装置。
【請求項３】
人に触れる時間が長く、その面積が大きい平面具や場所を規定する面、若しくはその周辺にイオンを含む空気を送ることにより、前記場所の周辺環境を調整する環境調整装置。
【請求項４】
人に触れる時間が長く、その面積が大きい平面具や場所を規定する面に形成され該面よりも上側及び／若しくは下側の空間に複数箇所で開放された送風路と、該送風路の上流端部に設けられイオンを発生するイオン発生装置と、該イオン発生装置から発生したイオンを前記送風路に送り出す送風手段とから成る環境調整装置。
【請求項５】
カーペットなどの敷物に形成され敷物よりも上側及び／若しくは下側の空間に複数箇所で開放された送風路と、該送風路の上流端部に設けられイオンを発生するイオン発生装置と、該イオン発生装置から発生したイオンを前記送風路に送り出す送風手段とから成る環境調整装置。
【請求項６】
布団や毛布などの寝具に形成され寝具よりも上側及び／若しくは下側の空間に複数箇所で開放された送風路と、該送風路の上流端部に設けられイオンを発生するイオン発生装置と、該イオン発生装置から発生したイオンを前記送風路に送り出す送風手段とから成る環境調整装置。
【請求項７】
マットレスや治療用寝台などの寝床に形成され寝床よりも上側及び／若しくは下側の空間に複数箇所で開放された送風路と、該送風路の上流端部に設けられイオンを発生するイオン発生装置と、該イオン発生装置から発生したイオンを前記送風路に送り出す送風手段とから成る環境調整装置。
【請求項８】
フローリングに形成されフローリングよりも上側の空間に複数箇所で開放された送風路と、該送風路の上流端部に設けられイオンを発生するイオン発生装置と、該イオン発生装置から発生したイオンを前記送風路に送り出す送風手段とから成る環境調整装置。
【請求項９】
前記送風路は上側に開放される通路と下側に開放される通路の２通路を有しており、これら２通路の一方に切換え可能な切換え手段を備えたことを特徴とする請求項４〜７のいずれかに記載の環境調整装置。
【請求項１０】
前記送風路と前記イオン発生装置の対を複数設けたことを特徴とする請求項４〜９のいずれかに記載の環境調整装置。
【請求項１１】
さらに、重量センサーを備え、重量センサーが重量を感知したときには、前記イオン発生装置から負イオンを豊富に発生させるリラックスモードで運転することを特徴とする請求項４〜１０のいずれかに記載の環境調整装置。
【請求項１２】
前記送風路又は送風手段の上流側に加熱手段を配設したことを特徴とする請求項４〜１０のいずれかに記載の環境調整装置。
【発明の詳細な説明】
【０００１】
【発明の属する技術分野】
本発明は、カーペットなどの敷物、布団や毛布などの寝具、マットレスや治療用寝台などの寝床、あるいはフローリングなど人に触れる時間が長く、その面積の大きい平面具や場所の周辺環境の調整装置に関するものである。
【０００２】
【従来の技術】
マットレスなどの寝床、布団や毛布などの寝具は人がかく大量の汗を吸収するため、湿気を好むカビや細菌が繁殖して不衛生になりやすい。このため、寝具を天日干しすることにより、乾燥と殺菌をしていた。
【０００３】
しかし、梅雨時は湿気が特に多く、雨降りの日が続くので寝具を思うように干せない。そのため、布団乾燥機を使用して室内で布団などを乾燥させていた。あるいは、オゾンガスを用いて寝具を殺菌処理していた（例えば、特許文献１参照）。
【０００４】
ところが、オゾンは人間の体に悪影響があり、例えば、高濃度のオゾンを吸うと、呼吸器の炎症を起こしたりして危険であるため、殺菌処理中は密閉袋にマットレスなどを収容してオゾンが外に漏れないように注意し、かつ、排気経路にオゾン分解処理装置を備えて排気中のオゾンを分解することが必要であった。
【０００５】
したがって、セッティングや片付けに手間が掛かり、オゾン分解処理装置を駆動させる分の余計な電気代が掛かるなど使い勝手が悪く、せっかく購入しても１回か２回程度で使用をやめてしまうということもあった。
【０００６】
また、例えば、特許文献２には、寝たきりの被介護者が失禁時に放つ悪臭を取り除くために、布団の間に閉じ込めた臭いをオゾン脱臭装置に通して脱臭する方法が示されている。この場合は、被介護者の傍らで使用するため、装置の排気側には必ずオゾン分解触媒フィルターを設置せねばならない。また、オゾンの発生やオゾン分解触媒の励起に紫外線ランプの点灯が必要となり、ランニングコストが掛かってしまう。
【０００７】
【特許文献１】
特開平６−２９２７１２号公報  （第２−３頁、第１図）
【特許文献２】
特開２００１−２３１８００号公報  （第３頁、第１図）
【０００８】
【発明が解決しようとする課題】
本発明は、上記の問題点に鑑みてなされたものであり、敷物、寝具、寝床、フローリングなど人と接触する時間が長く、その面積が大きい平面具や場所の周辺空気中の浮遊菌を不活化して環境を改善することにより、カビや菌の繁殖を抑制することを目的とする。
【０００９】
【課題を解決するための手段】
上記目的を達成するために本発明の環境調整装置は、イオンを発生するイオン発生装置と、イオンを含んだ空気を放出する送風手段とを備え、この送風手段からイオンを含んだ空気をある面に沿って流すことを特徴としている。
【００１０】
また、人に触れ、その面積の大きい平面具と、イオンを発生するイオン発生装置と、イオンを含んだ空気を放出する送風手段とを備え、前記平面具若しくはその周辺から、平面具に向かって前記送風手段からイオンを含んだ空気を流すことを特徴としている。
【００１１】
例えば、敷物、寝具、寝床、フローリングなど人と接触する時間が長く、その面積が大きい平面具や場所を規定する面、若しくはその周辺に正イオンと負イオンを放出するものである。
【００１２】
これによると、寝具等の周辺空気中のカビや菌を不活化し、浮遊菌数を一定の水準以下に抑えておくことが可能である。正負イオンには寝具等に付着したカビや菌を不活化する作用は小さいが、このように浮遊菌数を抑えることで、寝具等へのカビや菌の付着を抑えることができるため、雑菌の増殖も抑制することができる。
【００１３】
具体的に本発明の環境調整装置は、カーペットなどの敷物、布団や毛布などの寝具、マットレスや治療用寝台などの寝床、あるいはフローリングに形成され敷物や寝床やフローリングよりも上側及び／若しくは下側の空間に複数箇所で開放された送風路と、該送風路の上流端部に設けられ正負イオンを発生するイオン発生装置と、該イオン発生装置から発生した正負イオンを前記送風路に送り出す送風手段とから成ることを特徴としている。
【００１４】
図９は、正イオンと負イオン（以下、合わせて「正負イオン」という場合がある。）による空気中に浮遊するクラドスポリウム（黒カビ）の除去試験の結果を示している。クラドスポリウムは、キノコなどの真菌に分類される微生物である。試験は、容積１３．５ｍ３の密閉容器内を温度２５℃、湿度４２％に保ち、この密閉容器内に一定数の生きたクラドスポリウムの胞子を満たした後、正イオンと負イオンを供給することにより行なった。図９のグラフはクラドスポリウムの数の変化をエアサンプラーで追跡したものである。なお、本試験のイオン送出条件としては、風量が４ｍ３／分であり、イオン送風機の吹出し口から１０ｃｍ離れた位置にて、正負イオン濃度はそれぞれ約４万個／ｃｍ３とした。また、図９の試験において対象空間の中央部において、正負イオンの濃度を測定したところ、正負イオン濃度は、それぞれ約２，０００個／ｃｍ３であった。なお、このイオンの測定条件としては、イオンカウンターの加速電圧を調整し、１ｃｍ２／Ｖ・ｓ以上の移動度を有するものを選択的に測定対象として、数値化している。
【００１５】
図９に示すように、イオンの供給により残存するクラドスポリウムの数は時間の経過に従って減少していき、供給を開始してから約４時間でクラドスポリウムをほぼ全滅させることができる。したがって、正イオンと負イオンにはクラドスポリウムに代表されるさまざまな環境で生息するカビ類、（例えば、パン酵母、赤パンカビ、青カビ、こうじカビ、水カビなど）の胞子を空中で不活化して、その繁殖を抑える作用があると考えられる。また、本効果を得るための適切なイオン発生条件は以上に限られるものではなく、菌種、希望する清浄度の条件に従って、イオン濃度は自由に変更することが可能である。
【００１６】
また図１０は、正イオンと負イオンによる空気中に浮遊する大腸菌の除去試験の結果を示している。大腸菌は、微生物の中でも最も原始的なバチルスなどが属する細菌類に分類されるものである。試験は、容積３６ｍ３の密閉容器内を温度２５℃、湿度４２％に保ち、この容器内に一定数の生きた大腸菌を浮遊させた後、容器内に正イオンと負イオンを供給することにより行なった。図１０に示す試験結果は、大腸菌の数の変化をエアサンプラーで追跡したものである。なお、図１０の試験も、図９と同じイオン発生条件となるよう設定しており、風量が４ｍ３／分であり、イオン送風機の吹出し口から１０ｃｍ離れた位置にて、正負イオン濃度はそれぞれ４万個／ｃｍ３としている。また、図１０と図９は空間の大きさが異なるため、風の方向等を若干調整することにより、図１０の試験における対象空間の中央部において、正負イオン濃度は、それぞれ約２，０００個／ｃｍ３に保つように設定している。
【００１７】
図１０に示すように、イオンの供給により残存する大腸菌の数は時間の経過に従って減少していき、供給を開始してから約６時間で大腸菌をほぼ全滅させることができる。したがって、正イオンと負イオンには、大腸菌に代表されるさまざまな細菌類（例えば、サルモネラ菌、病原性大腸菌Ｏ１５７など）を空中で不活化して、その増殖を抑える作用があるものと考えられる。
【００１８】
なお、図９、図１０に示す試験においては、電極間に交流高電圧を印加することにより、空気中の酸素ないしは水分が電離によりエネルギーを受けてイオン化した、Ｈ＋（Ｈ２Ｏ）ｍ（ｍは任意の自然数）と、Ｏ２−（Ｈ２Ｏ）ｎ（ｎは任意の自然数）が主体のイオンを放出するようにしている。これらＨ＋（Ｈ２Ｏ）ｍ及びＯ２−（Ｈ２Ｏ）ｎは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００１９】
正負のイオンは浮遊細菌の細胞表面で式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を、不活化、除去することができる。
Ｈ＋（Ｈ２Ｏ）ｍ＋Ｏ２−（Ｈ２Ｏ）ｎ→・ＯＨ＋１／２Ｏ２＋（ｍ＋ｎ）Ｈ２Ｏ  ・・・（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’  →  ２・ＯＨ＋Ｏ２＋（ｍ＋ｍ’＋ｎ＋ｎ’）Ｈ２Ｏ  ・・・（２）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’  →  Ｈ２Ｏ２＋Ｏ２＋（ｍ＋ｍ’＋ｎ＋ｎ’）Ｈ２Ｏ  ・・・（３）
【００２０】
以上のメカニズムにより、上記正負イオンの放出により、浮遊菌等の不活化効果を得ることができる。
【００２１】
また、上記式（１）〜式（３）は、空気中の有害物質表面でも同様に作用を生じさせることができるため、活性種である過酸化水素（Ｈ２Ｏ２）または水酸基ラジカル（・ＯＨ）が、ホルムアルデヒドやアンモニアなどの化学物質を、酸化若しくは分解して、二酸化炭素や、水、窒素などの無害な物質に変換することにより、実質的に無害化することが可能である。
【００２２】
その他、正イオンと負イオンには、コクサッキーウィルスなどのウィルス類も不活化する働きがあり、これらウィルスによる感染予防に役立つ。
【００２３】
また、正イオンと負イオンには、臭いの元となる分子を分解する働きがあることも確かめられており、被介護者の失禁時の悪臭の脱臭にも利用できる。
【００２４】
ところで、上記イオン発生装置は、ほぼ同数の正負イオンを発生させるだけでなく、電極間に印加するパルス電圧の特性を変えることで、正負イオンのバランスを負イオンリッチに偏らせ、負イオンを大量に発生することも可能である。負イオンには人間の気分を癒し、リラックスさせる効果がある。
【００２５】
例えば、マットレスに重量を感知する重量センサーを設け、重量センサーが人の重量を感知したときには、前記イオン発生装置から負イオンを豊富に発生させ、前記送風手段により負イオンを寝具の外部へ供給するリラックスモードで運転するようにすると、就寝中の気分が落ち着き、安眠しやすくなるという効果が期待できる。
【００２６】
そして、送風路又は送風手段の上流側に加熱手段を配設してもよい。
【００２７】
これによると、敷物、寝具、寝床、フローリングなどに加熱空気をイオンとともにあるいは単独で送って乾燥させることができ、カビや菌が好む湿気を除去して、カビや菌の繁殖をある程度抑えることができる。
【００２８】
【発明の実施の形態】
以下に、本発明について幾つかの具体的な実施形態を挙げて説明する。
【００２９】
図１は、第１の実施形態に係る空気除菌機能付きマットレスの斜視図であり、図２はその上面図である。布製のマットレス１の内部には、マットレス１の外観形状を維持するように成形されたクッション性を有する充填材２（図３参照）が収容されている。充填材２の材料としては、例えば、発砲ウレタンなどが用いられる。
【００３０】
充填材２中には可とう性を有する１本の細長いチューブ３がマットレス１の横方向の端部で折り返すように蛇行して埋設されることにより、マットレス１の内部に送風路が形成されている。チューブ３の上流端３ｘは開放されており下流端３ｙは閉じられている。さらに、充填材２中には、重量センサー１３が埋設されている。重量センサー１３は、マットレス１上の人の存在を検知するものであり、その検知精度を上げるために、複数の重量センサー１３をマットレス１全域に適当な分布で点在させてもよい。
【００３１】
マットレス１の片隅には、制御ボックス４が取り付けられている。制御ボックス４は、マットレス１の周囲よりも外側へ出っ張っている。制御ボックス４の上面には、ツマミやスイッチ類、湿度センサー１１や臭気センサー１２などのセンサー類が設けられるともに、ＬＥＤ表示器の点灯を視認する窓（図示せず）が形成されている。
【００３２】
図３は、図２の横方向の縦断面図である。制御ボックス４の内部は、仕切り壁４Ａにより上下に仕切られ、仕切り壁４Ａよりも下側は、制御部７や高圧パルス駆動回路２６などの電装品が収容された電装品収容部１５となっている。
【００３３】
主流となるチューブ３からは、所定の間隔で支流となる多数のチューブ３Ａが上向きに延びている。チューブ３Ａの先端はマットレス１の上面まで達し、マットレス１の上側の空間に開放されている。したがって、マットレス１の上面には、図２に示すように、充填材２中に引き回されたチューブ３に沿って空気の抜け穴５が無数に形成されることになる。
【００３４】
制御ボックス４の内部の仕切り壁４Ａよりも上側には、イオン発生室６が形成され、このイオン発生室６に放電面が面するようにイオン発生装置２１が配置されている。イオン発生室６は、制御ボックス４の側面に設けられた吸込口８で外部の空間と連通するとともに、マットレス１と接触する制御ボックス４の側面に設けられた吹出口９に上記チューブ３の上流端３ｘが接続されることにより、チューブ３，３Ａを介してマットレス１の上側の空間と連通している。また、イオン発生室６の吸込口８の近くには、ファンモーター１４により駆動される送風ファン１０が設けられている。
【００３５】
次に、イオン発生素子２１の構成について説明する。平板上の誘電体２３の内部に板状の誘電電極２４と表面に網状の放電電極２５が対向配置されている。これらの誘電電極２４と放電電極２５には、リード線２７を介して高圧パルス駆動回路２６が接続されている。高圧パルス駆動回路２６を駆動すると、誘電電極２４と放電電極２５の間に正電圧と負電圧からなる高圧パルス電圧が印加され、プラズマ放電が起こる。これによって放電電極２５の周辺空気がイオン化され、ほぼ同数の正イオンと負イオンが発生する。
【００３６】
図４は、図２の横方向の縦断面図であり、他の例を示している。主流となるチューブ３から所定の間隔で支流となる多数のチューブ３Ａ，３Ｂが上向きに延びている。チューブ３Ａ，３Ｂの先端はマットレス１の上面及び下面まで達し、マットレス１の上側及び下側の空間に開放されている。このように、支流となるチューブ３Ａ，３Ｂを上下に形成することにより、マットレス１の両面にイオンを放出することができ、マットレス１の裏表を区別することなく使えるようになる。
【００３７】
さらに、図５のように、チューブ３を半円状に上下に仕切り、２つの送風路１８，１９を形成しておき、吹出口９に設けたダンパー装置１６で上下の送風路１８，１９を切り替えることにより、マットレス１の片面に選択的に正負イオンを放出できるようにもなり、使い勝手が向上する。
【００３８】
図６は、制御ブロック図である。湿度センサー１１、臭気センサー１２及び重量センサー１３は、制御部７に接続され、検出結果を制御部７に出力するようになっている。
【００３９】
制御部７は、湿度センサー１１、臭気センサー１２及び重量センサー１３の出力に基づいて、イオン発生装置２１の高圧パルス駆動回路２６や送風ファン１０のファンモーター１４の駆動を制御する。そのような制御のタイミングは、タイマー１７によって決められる。
【００４０】
図７は、マットレス１使用時の動作の一例を示すフローチャートである。マットレス１を電源に接続し、制御ボックス４上面の運転スイッチ（図示せず）を入れると、各種センサーが機能を開始する。まず、ステップ＃１０で湿度センサー１１により、マットレス１の周辺の湿度が検出され、制御部７に入力される。制御部７は、ステップ＃１１でこの入力に基づいてマットレス１の周辺の湿度をあらかじめ設定した湿度の値と比較する。
【００４１】
湿度が所定値よりも高いときは、ステップ＃１１の肯定判定となり、ステップ＃１２の除菌モードに入ってイオン発生装置２１の高圧パルス駆動回路２６及び送風ファン１０のファンモーター１４に通電し、正負イオンを含む空気がチューブ３に送り込まれる。
【００４２】
チューブ３の下流端３ｙは閉じられ、行き止まりになっているため、チューブ３内に満たされた空気は支流となる複数のチューブ３Ａを上昇し、マットレス１の上面の抜け穴５から漏れ出るように正負イオンがじわじわと放出される。これにより、正負イオンの濃度の高い空気層がマットレス１上に形成され、空気中のカビや菌が不活化される。したがって、マットレス１は絶えず無菌に近い空気に包まれることとなるため、カビや菌の付着を防止し、マットレス１を清潔に保つことができる。その後、ステップ＃１３に進む。
【００４３】
逆に、検出された湿度が所定値以下の場合は、ステップ＃１１の否定判定となり、カビや菌が発生しにくいと判断し、制御部は高圧パルス駆動回路２６とファンモーター１４には通電せずに、ステップ＃１３に進む。
【００４４】
そして、重量センサー１３が重量を感知しない限り、ステップ＃１３の否定判定となり、人がマットレス１上にいないと判断し、湿度の検出から始まる上記のステップ＃１０〜＃１２を繰り返す。
【００４５】
マットレス１上の寝床に人が付くと、重量センサー１３が重量を感知し、ステップ＃１２の肯定判定となり、ステップ＃１４へ進んで臭気センサー１２が作動してマットレス１周辺の臭気の強さを検出し、制御部７に出力する。制御部７は、ステップ＃１５で臭気の強さを所定値と比較する。人が失禁して悪臭が漂うと、臭気の強さが所定値を超え、ステップ＃１５の肯定判定となり、ステップ＃１６の脱臭モードに入って、高圧パルス駆動回路２６及びファンモーター１４に通電し、正負イオンを含む空気がチューブ３に送り込まれる。
【００４６】
チューブ３内に満たされた空気は支流となる複数のチューブ３Ａを上昇し、マットレス１の上面の抜け穴５から漏れ出るように正負イオンがじわじわと放出される。これにより、正負イオンの濃度の高い空気層がマットレス１上に形成され、正負イオンによって糞尿の臭気（例えば、アンモニアやメチルメルカプタン）の分子が分解される。その結果、マットレス１の周辺空気を脱臭することができる。その後、ステップ＃１８に進む。なお、正負イオンは人に無害であるため、マットレス１上に人がいても安心して放出することができる。
【００４７】
逆に、臭気が所定値より弱ければ、ステップ＃１５の否定判定となり、ステップ＃１７のいわゆるリラックスモードに入って、制御部７は高圧パルス駆動回路２６とファンモーター１４に通電し、大量に発生させた負イオンをチューブ３に送り込む。これにより、負イオンがマットレス１の上面の抜け穴５から放出される。その結果、負イオンに特有のリラックス作用が得られ、気持ちが落ち着き、安眠しやすくなるという効果が期待できる。そして、ステップ＃１８に進む。
【００４８】
そして、重量センサー１３が重量を感知し続ける限りは、ステップ＃１８の肯定判定となり、マットレス１上に人が寝ていると判断して、臭気の検出から始まる上記ステップ＃１４〜＃１７を繰り返す。
【００４９】
やがて起き上がった人がマットレス１上から退くと、ステップ＃１８の否定判定となり、重量センサー１３が重量を感知しなくなり、ステップ＃１０に戻って上記の動作を繰り返すことになる。
【００５０】
ここで、上記のフローはあくまでも一例であることを強調しておく。特に最近の研究では、正負イオンにウィルスを殺す作用があることが分かってきたため、例えば、就寝中にも継続して正負イオンをマットレス１の周辺空気に供給することにより、浮遊するインフルエンザウィルスなどが殺され、感染の予防に役立つという効果が期待できる
【００５１】
そして、チューブ３又は送風ファン１０の上流側にヒータなどの加熱手段を配設することで、マットレス１上に加熱空気を正負イオンとともにあるいは単独で送って乾燥させることができ、カビや菌が好む湿気を除去して、カビや菌の繁殖をある程度抑えることができる。
【００５２】
図８は、マットレス１の上面図であり、第２の実施形態を示している。第１の実施形態では、１本の長いチューブ３に１台のイオン発生装置２１から発生させた正負イオンを送り込むようにしたが、正負イオンの寿命は約３〜５秒であることを考えると、チューブ３の下流ほど到達する正負イオンが少なくなり、マットレス１上に放出される正負イオン濃度の分布にむらができてしまう。
【００５３】
そこで、本実施形態では、主流となるチューブ３をマットレス１の長さ方向に所定の間隔で区切り、複数のチューブ３１〜３６でマットレス１の全範囲に上記と同等の送風路を形成している。そして、各チューブ３１〜３６の上流端３１ｘ〜３６ｘにイオン発生装置が１台ずつ装備されるように、マットレス１の端縁に沿って所定の間隔でイオン発生装置２１１〜２１６と送風ファン１０１〜１０６を複数対設けている。なお、制御ボックス４には、すべてのイオン発生装置２１１〜２１６を共通にカバーすることのできる長い仕様のものを採用している。制御ボックス４内に設けられた制御部７（図示せず）は、すべてのイオン発生素子２１１〜２１６と送風ファン１０１〜１０６を画一的に制御し、すべて同じ条件で作動させる。
【００５４】
本実施形態では、主流となるチューブ３を短くしたことにより、寿命の短い正負イオンをマットレス１上に均一に放出して、その空間全域の浮遊菌を均等に不活化することができる。また、イオン発生装置２１１〜２１６と送風ファン１０１〜１０６のそれぞれに要求されるイオン発生量や送風速度、送風量の負荷が１台で賄うよりも軽くなるため、効率のよいシステムを実現できる。
【００５５】
以上、マットレスを例に説明したが、本発明はその他治療用寝台などの寝床、カーペットなどの敷物、布団や毛布などの寝具、あるいはフローリングなどの人に触れる時間が長く、面積が大きい平面具や場所への適用が可能である。特に、電気カーペットや電気毛布のようにヒータ線や感熱線が織布や繊維の内部に通され、保温性を高めた平面具では、それ自体が発熱領域や発熱面積の切換え、体感温度の高低を設定できる制御ボックスを備えているため、この制御ボックスにコンパクトにイオン発生装置や送風ファンを収容することが可能である。電気カーペットや電気毛布の厚みはそれほど大きくないので、マットレスのように内部に送風経路を設けなくても、カーペットや毛布の表面に沿って直接イオンを含む空気を流すことにより、その周辺空気の浮遊菌の不活化が行なえるため、簡易的なシステムを実現することができる。
【００５６】
【発明の効果】
以上説明したように本発明に係る環境調整装置によると、カーペットなどの敷物、布団や毛布などの寝具、マットレスや治療用寝台などの寝床、あるいはフローリングなど人に触れる時間が長く、その面積の大きい平面具や場所を規定する面から正負イオンを放出して空気中の浮遊菌を不活化することが可能となり、このような平面具や場所にカビや菌が付着を予防することができ、清潔に保つことができる。したがって、天日干しや消毒を行う頻度が少なくて済み、労力の軽減が図られる。
【図面の簡単な説明】
【図１】本発明の第１の実施形態に係るマットレスの斜視図である。
【図２】同上マットレスの上面図である。
【図３】図２の横方向の縦断面図である。
【図４】同上図２の横方向の縦断面図であり、他の例を示している。
【図５】同上図２の横方向の縦断面図であり、さらに他の例を示している。
【図６】上記マットレスの制御ブロック図である。
【図７】上記マットレスの使用時の一例のフローチャートである。
【図８】本発明の第２の実施形態に係るマットレスの上面図である。
【図９】正イオンと負イオンによる空気中に浮遊するクラドスポリウム（黒カビ）の除去試験の結果を示すグラフである。
【図１０】正イオンと負イオンによる空気中に浮遊する大腸菌の除去試験の結果を示すグラフである。
【符号の説明】
１  マットレス
３，３Ａ  チューブ
４  制御ボックス
５  空気抜け穴
７  制御部
１０  送風ファン
１４  ファンモーター
２１  イオン発生装置
２６  高圧パルス駆動回路
【図１】
2004174138.tif 000003
【図２】
2004174138.tif 000004
【図３】
2004174138.tif 000005
【図４】
2004174138.tif 000006
【図５】
2004174138.tif 000007
【図６】
2004174138.tif 000008
【図７】
2004174138.tif 000009
【図８】
2004174138.tif 000010
【図９】
2004174138.tif 000011
【図１０】
2004174138.tif 000012